(57)【要約】【課題】圧抜き機構の飛散を抑制することができる燃料電池システムを提供する。【解決手段】燃料電池システム１は、燃料電池スタック２を収容するスタック収容部４ａと高電圧部品３を収容する高電圧部品収容部４ｂとを有する収容ケース４と、高電圧部品収容部４ｂに設けられる前側圧抜き機構５ａ，左側圧抜き機構５ｂ，後側圧抜き機構５ｃ，右側圧抜き機構５ｄ及び上側圧抜き機構５ｅと、高電圧部品収容部４ｂの外側に配置される補機１０と、を備える。各圧抜き機構は、補機１０との間に隙間を有するように補機１０と対向する位置に配置されており、補機１０よりも剛性が低い。【選択図】図１
2019106234.tif 000002
【特許請求の範囲】
【請求項１】
燃料電池スタックを有する燃料電池システムであって、
前記燃料電池スタックを収容するスタック収容部と、前記燃料電池スタックと接続される高電圧部品を収容し、前記スタック収容部の上方に配置されるとともに前記スタック収容部との間で気体が流通可能な高電圧部品収容部と、を有する収容ケースと、
前記収容ケースの前記高電圧部品収容部に設けられるとともに、前記高電圧部品収容部よりも剛性の低い材料で形成される圧抜き機構と、
前記収容ケースの前記高電圧部品収容部の外側に配置される補機と、
を備え、
前記圧抜き機構は、前記補機との間に隙間を有するように前記補機と対向する位置に配置されており、前記補機よりも剛性が低いことを特徴とする燃料電池システム。
【請求項２】
前記高電圧部品収容部には、前記補機の台座が設けられており、
前記台座は、平面視において前記圧抜き機構を取り囲むように配置されている請求項１に記載の燃料電池システム。
【請求項３】
前記補機に用いられるワイヤハーネスが、平面視において前記圧抜き機構を取り囲むように配置されている請求項１又は２に記載の燃料電池システム。
【請求項４】
前記圧抜き機構は、水素透過膜を有する水素換気口である請求項１〜３のいずれか一項に記載の燃料電池システム。
【発明の詳細な説明】
【技術分野】
【０００１】
本発明は、燃料電池スタックを有する燃料電池システムに関する。
【背景技術】
【０００２】
従来、このような分野の技術として、例えば特許文献１に記載のように車両に搭載された燃料電池システムが知られている。この特許文献に記載の燃料電池システムでは、車両前側のフロントルームに燃料電池スタックと昇圧コンバータやインバータ等の補機とが搭載されており、燃料電池スタック、昇圧コンバータ及びインバータは下からこの順に積層されている。
【先行技術文献】
【特許文献】
【０００３】
【特許文献１】特開２０１７−７４８１９号公報
【発明の概要】
【発明が解決しようとする課題】
【０００４】
このような構造を有する燃料電池システムでは、燃料電池スタックを収容するスタックケースと昇圧コンバータ等を収容する高電圧部品ケースとの間の仕切り部材を無くし、これらのケースを一体化することで部品点数の削減が検討されている。しかしながら、スタックケースと高電圧部品ケースとを一体化すると、スタックケースと高電圧部品ケースとの間で気体が流通する状態になってしまい、万一何らかの原因で燃料電池スタックから水素が漏れた場合に、漏れた水素が高電圧部品ケースの上方に溜まる可能性がある。水素の溜まりによる不都合を防止するために、例えば高電圧部品ケースに圧抜き機構を設け、所定の圧力を超えるときに圧抜き機構を変形させて圧力を逃がすことが考えられるが、フロントルームを覆うボンネットを開いた状態で圧抜き機構が変形した場合に、変形した圧抜き機構が飛散する問題が新たに生じる。
【０００５】
本発明は、このような技術課題を解決するためになされたものであって、圧抜き機構の飛散を抑制することができる燃料電池システムを提供することを目的とする。
【課題を解決するための手段】
【０００６】
本発明に係る燃料電池システムは、燃料電池スタックを有する燃料電池システムであって、前記燃料電池スタックを収容するスタック収容部と、前記燃料電池スタックと接続される高電圧部品を収容し、前記スタック収容部の上方に配置されるとともに前記スタック収容部との間で気体が流通可能な高電圧部品収容部と、を有する収容ケースと、前記収容ケースの前記高電圧部品収容部に設けられるとともに、前記高電圧部品収容部よりも剛性の低い材料で形成される圧抜き機構と、前記収容ケースの前記高電圧部品収容部の外側に配置される補機と、を備え、前記圧抜き機構は、前記補機との間に隙間を有するように前記補機と対向する位置に配置されており、前記補機よりも剛性が低いことを特徴としている。
【０００７】
本発明に係る燃料電池システムでは、収容ケースの高電圧部品収容部に圧抜き機構が設けられるので、仮に高電圧部品収容部の内部で水素の溜まりによって不都合が発生した場合、高電圧部品収容部よりも圧抜き機構の方が先に変形することで、高電圧部品収容部の内部の圧力を外部に逃がすことができ、高電圧部品収容部の変形や破損を防止することができる。また、圧抜き機構は補機との間に隙間を有するように補機と対向する位置に配置されており、補機よりも剛性が低いので、補機を利用して圧抜き機構の飛散を抑制することができる。しかも、このように圧抜き機構の飛散を抑制する部材として補機を流用するので、部品の増加を防止することができる。
【０００８】
本発明に係る燃料電池システムにおいて、前記高電圧部品収容部には、前記補機の台座が設けられており、前記台座は、平面視において前記圧抜き機構を取り囲むように配置されていることが好ましい。このようすれば、圧抜き機構を取り囲むように圧抜き機構の周囲に補機を配置することができるので、補機を利用して圧抜き機構の横方向への飛散を抑制することができる。
【０００９】
本発明に係る燃料電池システムにおいて、前記補機に用いられるワイヤハーネスが、平面視において前記圧抜き機構を取り囲むように配置されていることが好ましい。このようにすれば、圧抜き機構の周囲に配置されたワイヤハーネスを利用して圧抜き機構の横方向への飛散を抑制することができる。
【００１０】
本発明に係る燃料電池システムにおいて、前記圧抜き機構は、水素透過膜を有する水素換気口であることが好ましい。このようにすれば、圧抜き機構が水素換気口の機能を兼ねることにより、部品点数の増加を防止することができる。
【発明の効果】
【００１１】
本発明によれば、圧抜き機構の飛散を抑制することができる。
【図面の簡単な説明】
【００１２】
【図１】実施形態に係る燃料電池システムを示す概略平面図である。
【図２】実施形態に係る燃料電池システムを示す部分模式正面図である。
【図３】高電圧部品収容部の天井部に設けられた上側圧抜き機構と水加熱ヒータとを示す平面図である。
【図４】高電圧部品収容部の天井部に設けられた上側圧抜き機構と水加熱ヒータとを示す側面図である。
【発明を実施するための形態】
【００１３】
以下、図面を参照して本発明に係る燃料電池システムの実施形態について説明する。各図において矢印ＦＲ、矢印ＲＨ、矢印ＵＰは、車両の前側、車両の右側、車両の上側をそれぞれ示す。また、以下の実施形態において燃料電池システムを車両に搭載して車両の駆動源とした例を挙げて説明するが、本発明の燃料電池システムは、船舶、航空機、電車等の駆動源や、建物の発電設備としても良い。
【００１４】
図１は実施形態に係る燃料電池システムを示す概略平面図であり、図２は実施形態に係る燃料電池システムを示す部分模式正面図である。図２において、収容ケースの内部に収容された燃料電池スタック及び高電圧部品の位置を表すために収容ケースを断面図で示しており、また、パワーコントロールユニット、ロータリバルブ、水素ガス供給ユニット及び水加熱ヒータ以外の補機を省略している。本実施形態の燃料電池システム１は、車両のフロントルーム９の略中央の位置に搭載された収容ケース４と、収容ケース４を取り囲むように該収容ケース４の外側に配置された補機１０と、を主に備えている。
【００１５】
収容ケース４は、例えば金属材料により形成された略直方体形状の筐体であり、下部に配置されて燃料電池スタック２を収容するスタック収容部４ａと、スタック収容部４ａの上方に配置されて高電圧部品３を収容する高電圧部品収容部４ｂとを有する。スタック収容部４ａと高電圧部品収容部４ｂとは、例えばそれぞれ開口部及びフランジ部を有する略直方体形状の筐体を呈しており、内部に燃料電池スタック２又は高電圧部品３を固定する固定部が設けられている。収容ケース４は、スタック収容部４ａを構成する筐体と高電圧部品収容部４ｂを構成する筐体とを開口部同士が向き合うように突き合わせた状態で、フランジ部４０ａ，４０ｂをボルト４１とナット４２の締結によって一体的に形成されている（図２参照）。なお、スタック収容部４ａと高電圧部品収容部４ｂとの間は、気体が流通可能な状態となっている。
【００１６】
燃料電池スタック２は、複数の単セルを積層してなるセルスタックであり、固体高分子電解質型燃料電池を構成する。図示しないが、単セルは、高分子電解質膜がアノード電極及びカソード電極により挟持されてなる膜／電極接合体と、該膜／電極接合体を両側から挟み込む一対のセパレータとを有する。一方、高電圧部品３は、例えば燃料電池スタック２の電力を昇圧するための昇圧コンバータであり、燃料電池スタック２と電気的に接続されている。
【００１７】
補機１０には、フロントルーム９の内部に配置されたパワーコントロールユニット１１、外部給電部１２、エアダクト１３、ＥＶリザーバタンク１４、ＦＣリザーバタンク１５、イオン交換器１６、リレーボックス１７、バッテリ１８、ロータリバルブ１９、水素ガス供給ユニット２０、水加熱ヒータ２１、ワイヤハーネス２２及び三方弁２３等が含まれている。
【００１８】
図１に示すように、パワーコントロールユニット１１、外部給電部１２及びエアダクト１３は、高電圧部品収容部４ｂの右側において、車両の後側から前側に向かって順に配置されている。パワーコントロールユニット１１は、燃料電池システム１を構成する各部へ送電する電力等を制御するものである。外部給電部１２は、燃料電池スタック２および図示しない二次電池から外部負荷に電力を供給するためのものである。エアダクト１３は、燃料電池スタック２に供給する外気を取り入れるための構造である。
【００１９】
ＥＶリザーバタンク１４、ＦＣリザーバタンク１５及びイオン交換器１６は、高電圧部品収容部４ｂの前側において車両の右側から左側に向かって順に配置されている。ＥＶリザーバタンク１４はバッテリ１８の発熱を冷却するための冷却液を貯留するタンクであり、ＦＣリザーバタンク１５は燃料電池の発熱を冷却するための冷却液を貯留するタンクである。イオン交換器１６は燃料電池を冷却する冷却液中に含まれるイオンを除去する装置である。
【００２０】
リレーボックス１７、バッテリ１８及びロータリバルブ１９は、高電圧部品収容部４ｂの左側において車両の前側から後側に向かって順に配置されている。リレーボックス１７には、燃料電池スタック２やバッテリ１８等から駆動用モータ（図示せず）や各種電気部品に供給される電力の供給制御（ＯＮ／ＯＦＦ制御）を行うリレーが集約されている。バッテリ１８は、各補機を駆動するための電源である。ロータリバルブ１９は、例えば冷却液の各循環経路における冷却液の流量を調整するための弁装置である。
【００２１】
図２に示すように、水素ガス供給ユニット２０及び水加熱ヒータ２１は、高電圧部品収容部４ｂの上側に配置されている。水素ガス供給ユニット２０は水加熱ヒータ２１の右側に位置している。また、高電圧部品収容部４ｂの後側には、各補機１０の接続に用いられた複数本のワイヤハーネス２２と、三方弁２３が配置されている。ワイヤハーネス２２は、車両の左右方向に沿って延設されている。
【００２２】
また、本実施形態の燃料電池システム１は、高電圧部品収容部４ｂに設けられるとともに、該高電圧部品収容部４ｂよりも剛性の低い材料で形成された圧抜き機構を複数（ここでは、５つ）備えている。図１に示すように、５つの圧抜き機構（すなわち、前側圧抜き機構５ａ，左側圧抜き機構５ｂ，後側圧抜き機構５ｃ，右側圧抜き機構５ｄ及び上側圧抜き機構５ｅ）は、高電圧部品収容部４ｂの前後左右の側壁及び天井部に１箇所ずつ設けられている。
【００２３】
具体的には、高電圧部品収容部４ｂの前側壁には前側圧抜き機構５ａが設けられている。前側圧抜き機構５ａは、例えばその前側に配置されたＥＶリザーバタンク１４、ＦＣリザーバタンク１５及びイオン交換器１６との間にそれぞれ隙間を有するように、ＥＶリザーバタンク１４、ＦＣリザーバタンク１５及びイオン交換器１６と対向する位置に配置されている。なお、前側圧抜き機構５ａは必ずしもＥＶリザーバタンク１４、ＦＣリザーバタンク１５及びイオン交換器１６の全てと対向する位置に配置される必要がなく、ＥＶリザーバタンク１４、ＦＣリザーバタンク１５及びイオン交換器１６の少なくとも一方と対向する位置に配置されれば良い。例えば、前側圧抜き機構５ａはイオン交換器１６と対向する位置のみに配置されても良い。
【００２４】
高電圧部品収容部４ｂの左側壁には、左側圧抜き機構５ｂが設けられている。左側圧抜き機構５ｂは、例えばその左側に配置されたバッテリ１８及びロータリバルブ１９との間にそれぞれ隙間を有するように、バッテリ１８及びロータリバルブ１９と対向する位置に配置されている。なお、左側圧抜き機構５ｂは必ずしもバッテリ１８及びロータリバルブ１９の双方と対向する位置に配置される必要がなく、バッテリ１８及びロータリバルブ１９のいずれか一方と対向する位置に配置されても良い。また、図１に示すように、左側圧抜き機構５ｂは、高電圧部品収容部４ｂの角部に隣接したリレーボックス１７と対向する位置に配置されていないが、例えばリレーボックス１７が高電圧部品収容部４ｂの左側壁に近接した場合に、該左側圧抜き機構５ｂは更にリレーボックス１７と対向する位置に配置されても良い。
【００２５】
また、高電圧部品収容部４ｂの後側壁には、後側圧抜き機構５ｃが設けられている。後側圧抜き機構５ｃは、例えばその後側に配置されたワイヤハーネス２２及び三方弁２３との間にそれぞれ隙間を有するように、ワイヤハーネス２２及び三方弁２３と対向する位置に配置されている。ワイヤハーネス２２は、高電圧部品収容部４ｂと三方弁２３との間に配置され、車両の左右方向に延設されている。
【００２６】
また、高電圧部品収容部４ｂの右側壁には、右側圧抜き機構５ｄが設けられている。右側圧抜き機構５ｄは、例えばその右側に配置されたパワーコントロールユニット１１及び外部給電部１２との間にそれぞれ隙間を有するように、パワーコントロールユニット１１及び外部給電部１２と対向する位置に配置されている。なお、右側圧抜き機構５ｄは必ずしもパワーコントロールユニット１１及び外部給電部１２の双方と対向する位置に配置される必要がなく、パワーコントロールユニット１１及び外部給電部１２のいずれか一方と対向する位置に配置されても良い。また、図１に示すように、右側圧抜き機構５ｄは、高電圧部品収容部４ｂの角部に隣接したエアダクト１３と対向する位置に配置されていないが、例えばエアダクト１３が高電圧部品収容部４ｂの右側壁に近接した場合に、該右側圧抜き機構５ｄは更にエアダクト１３と対向する位置に配置されても良い。
【００２７】
更に、高電圧部品収容部４ｂの天井部には、上側圧抜き機構５ｅが設けられている。上側圧抜き機構５ｅは、水素ガス供給ユニット２０及び水加熱ヒータ２１との間にそれぞれ隙間を有するように、水素ガス供給ユニット２０及び水加熱ヒータ２１と対向する位置に配置されている。なお、上側圧抜き機構５ｅは必ずしも水素ガス供給ユニット２０及び水加熱ヒータ２１の双方と対向する位置に配置される必要がなく、水素ガス供給ユニット２０及び水加熱ヒータ２１のいずれか一方と対向する位置に配置されても良い。
【００２８】
ここで、水加熱ヒータ２１を挙げて水加熱ヒータ２１の設置構造、水加熱ヒータ２１と上側圧抜き機構５ｅとの位置関係を説明するが、水素ガス供給ユニット２０の設置構造及びに上側圧抜き機構５ｅとの位置関係については、水加熱ヒータ２１と同様であるので、その重複説明を省略する。
【００２９】
図３は高電圧部品収容部の天井部に設けられた上側圧抜き機構と水加熱ヒータとを示す平面図であり、図４は高電圧部品収容部の天井部に設けられた上側圧抜き機構と水加熱ヒータとを示す側面図である。図３及び図４に示すように、高電圧部品収容部４ｂの天井部の外壁（すなわち、天井部の上表面）には、水加熱ヒータ用台座２１１が４つ設けられている。これらの水加熱ヒータ用台座２１１は、例えば内部にネジ穴が設けられた鉄製のブロックであって、水加熱ヒータ２１のフランジ部２１ａ（後述する）の四隅に対応する位置に配置されるとともに、溶接等で高電圧部品収容部４ｂの天井部と固定されている。
【００３０】
一方、水加熱ヒータ２１は、その底面が上側圧抜き機構５ｅから所定距離で離れた状態（換言すれば、上側圧抜き機構５ｅとの間に隙間を有するように）、上側圧抜き機構５ｅの上側に配置されている。水加熱ヒータ２１は、その底部に設けられたフランジ部２１ａが水加熱ヒータ用台座２１１の上に載置された状態でボルト２１２により水加熱ヒータ用台座２１１と固定されている。
【００３１】
本実施形態において、前側圧抜き機構５ａ、左側圧抜き機構５ｂ、後側圧抜き機構５ｃ、右側圧抜き機構５ｄ及び上側圧抜き機構５ｅは、それぞれ水素透過膜を有する水素換気口であり、高電圧部品収容部４ｂの前後左右の側壁又は天井部の所定位置に設けられた開口部に水素透過膜を取り付けることにより形成されている。水素透過膜は、水素の透過を許容しつつ、水や塵埃等の透過を阻止する素材で作られている。そして、これらの圧抜き機構は、それぞれ高電圧部品収容部４ｂよりも剛性の低い、且つ各補機１０よりも剛性の低い材料によって形成されている。
【００３２】
本実施形態の燃料電池システム１では、高電圧部品収容部４ｂの前後左右の側壁及び天井部に圧抜き機構（前側圧抜き機構５ａ，左側圧抜き機構５ｂ，後側圧抜き機構５ｃ，右側圧抜き機構５ｄ及び上側圧抜き機構５ｅ）がそれぞれ設けられており、これらの圧抜き機構が高電圧部品収容部４ｂよりも剛性の低い材料によって形成されている。このため、仮に高電圧部品収容部４ｂの内部で水素の溜まりによって不都合が発生した場合、高電圧部品収容部４ｂよりも圧抜き機構の方が先に変形し、高電圧部品収容部４ｂの内部の圧力を外部に逃がすことができるので、高電圧部品収容部４ｂの変形や破損等を防止することができる。
【００３３】
そして、前側圧抜き機構５ａは、その前側に配置されたＦＣリザーバタンク１５及びイオン交換器１６との間に隙間を有するようにＦＣリザーバタンク１５及びイオン交換器１６と対向する位置に配置されており、ＦＣリザーバタンク１５及びイオン交換器１６のいずれよりも剛性が低い。従って、仮に前側圧抜き機構５ａが変形し飛散した場合に、ＦＣリザーバタンク１５及びイオン交換器１６によって前側圧抜き機構５ａによる前側への飛散が抑制される。また、前側圧抜き機構５ａによる前側への飛散を抑制する部材としてＦＣリザーバタンク１５及びイオン交換器１６を流用することで、部品の増加を防止することができる。
【００３４】
左側圧抜き機構５ｂは、その左側に配置されたバッテリ１８及びロータリバルブ１９との間に隙間を有するようにバッテリ１８及びロータリバルブ１９と対向する位置に配置されており、バッテリ１８及びロータリバルブ１９のいずれよりも剛性が低い。従って、仮に左側圧抜き機構５ｂが変形し飛散した場合に、バッテリ１８及びロータリバルブ１９によって左側圧抜き機構５ｂによる左側への飛散が抑制される。また、左側圧抜き機構５ｂによる左側への飛散を抑制する部材としてバッテリ１８及びロータリバルブ１９を流用することで、部品の増加を防止することができる。
【００３５】
後側圧抜き機構５ｃは、その後側に配置されたワイヤハーネス２２及び三方弁２３との間に隙間を有するように該ワイヤハーネス２２及び三方弁２３と対向する位置に配置されており、ワイヤハーネス２２及び三方弁２３のいずれよりも剛性が低い。従って、仮に後側圧抜き機構５ｃが変形し飛散した場合に、ワイヤハーネス２２及び三方弁２３によって後側圧抜き機構５ｃによる後側への飛散が抑制される。また、後側圧抜き機構５ｃによる後側への飛散を抑制する部材としてワイヤハーネス２２及び三方弁２３を流用することで、部品の増加を防止することができる。
【００３６】
右側圧抜き機構５ｄは、その右側に配置されたパワーコントロールユニット１１及び外部給電部１２との間に隙間を有するようにパワーコントロールユニット１１及び外部給電部１２と対向する位置に配置されており、パワーコントロールユニット１１及び外部給電部１２のいずれよりも剛性が低い。従って、仮に右側圧抜き機構５ｄが変形し飛散した場合に、パワーコントロールユニット１１及び外部給電部１２によって右側圧抜き機構５ｄによる右側への飛散が抑制される。また、右側圧抜き機構５ｄによる右側への飛散を抑制する部材としてパワーコントロールユニット１１及び外部給電部１２を流用することで、部品の増加を防止することができる。
【００３７】
上側圧抜き機構５ｅは、水素ガス供給ユニット２０及び水加熱ヒータ２１との間に隙間を有するように水素ガス供給ユニット２０及び水加熱ヒータ２１と対向する位置に配置されており、水素ガス供給ユニット２０及び水加熱ヒータ２１のいずれよりも剛性が低い。従って、仮に上側圧抜き機構５ｅが変形し飛散した場合に、水素ガス供給ユニット２０及び水加熱ヒータ２１によって上側圧抜き機構５ｅによる上側への飛散が抑制される。また、上側圧抜き機構５ｅによる上側への飛散を抑制する部材として水素ガス供給ユニット２０及び水加熱ヒータ２１を流用することで、部品の増加を防止することができる。
【００３８】
更に、前側圧抜き機構５ａ、左側圧抜き機構５ｂ、後側圧抜き機構５ｃ、右側圧抜き機構５ｄ及び上側圧抜き機構５ｅは、それぞれ水素透過膜を有する水素換気口である。このように圧抜き機構が水素換気口の機能を兼ねることにより、圧抜き機構の設置に伴う部品点数の増加を防止することができる。
【００３９】
なお、本実施形態において、圧抜き機構として水素透過膜を有する水素換気口の例を挙げて説明したが、圧抜き機構として高電圧部品収容部４ｂの開口部に取り付けられた防水シート、板金カバー、板金ブラケット、樹脂シート、ゴム栓であっても良く、或いは高電圧部品収容部４ｂに設けられた切り欠き溝や肉薄部等のような高電圧部品収容部４ｂの他の部分よりも剛性の低い脆弱部であっても良い。
【００４０】
また、前側圧抜き機構５ａ、左側圧抜き機構５ｂ、後側圧抜き機構５ｃ、右側圧抜き機構５ｄ及び上側圧抜き機構５ｅは、必ずしも全て設けられる必要がなく、これらのうち少なくとも一つ設けられれば良い。また、高電圧部品収容部４ｂの前後左右の側壁及び天井部において圧抜き機構が１箇所ずつ設けられる必要がなく、例えば２箇所ずつ設けられても良い。更に、補機１０には、上述した内容のほか、高電圧ケーブル、ワイヤハーネスを固定するためのブラケット、ワイヤハーネスを保護するための樹脂プロテクタ等が含まれても良い。
【００４１】
また、本実施形態において、高電圧部品収容部４ｂに補機の台座が設けられて良い。例えば、高電圧部品収容部４ｂの前後左右の外壁には各補機を固定するための台座がそれぞれ設けられており、これらの台座は平面視において圧抜き機構（例えば前側圧抜き機構５ａ、左側圧抜き機構５ｂ、後側圧抜き機構５ｃ、右側圧抜き機構５ｄ）を取り囲むように配置されている。このようすれば、圧抜き機構を取り囲むように圧抜き機構の周囲に補機を配置することができるので、補機を利用して圧抜き機構の横方向（例えば、前後方向又は／及び左右方向）への飛散を抑制することができる。
【００４２】
また、本実施形態において、補機に用いられるワイヤハーネスが、平面視において圧抜き機構（例えば前側圧抜き機構５ａ、左側圧抜き機構５ｂ、後側圧抜き機構５ｃ、右側圧抜き機構５ｄ）を取り囲むように配置されても良い。このようにすれば、圧抜き機構の周囲に配置されたワイヤハーネスを利用して圧抜き機構の横方向（例えば、前後方向又は／及び左右方向）への飛散を更に抑制することができる。
【００４３】
以上、本発明の実施形態について詳述したが、本発明は、上述の実施形態に限定されるものではなく、特許請求の範囲に記載された本発明の精神を逸脱しない範囲で、種々の設計変更を行うことができるものである。
【符号の説明】
【００４４】
１    燃料電池システム
２    燃料電池スタック
３    高電圧部品
４    収容ケース
４ａ    スタック収容部
４ｂ    高電圧部品収容部
５ａ    前側圧抜き機構
５ｂ    左側圧抜き機構
５ｃ    後側圧抜き機構
５ｄ    右側圧抜き機構
５ｅ    上側圧抜き機構
１０    補機
１１    パワーコントロールユニット
１２    外部給電部
１３    エアダクト
１４    ＥＶリザーバタンク
１５    ＦＣリザーバタンク
１６    イオン交換器
１７    リレーボックス
１８    バッテリ
１９    ロータリバルブ
２０    水素ガス供給ユニット
２１    水加熱ヒータ
２２    ワイヤハーネス
２３    三方弁
【図１】
2019106234.tif 000003
【図２】
2019106234.tif 000004
【図３】
2019106234.tif 000005
【図４】
2019106234.tif 000006